(57)【要約】【課題】漏油と雨水等とを分離して雨水等のみを排出するための小容量の集積枡を用意するだけでＯＦケーブルの漏油対策を講じることができるＯＦケーブルを用いた送電系統の構造を提供する。【解決手段】ＯＦケーブルが内部に敷設されているケーブルピット１０と、雨水等と前記ＯＦケーブルから漏洩した漏油とをケーブルピット１０とともに内部に貯留する集積枡１１と、雨水等を外部に排出する弁１３と、集積枡１１に配設されて雨水等のみが弁１３を介して外部に排出されるよう雨水等のレベルを検出するレベル検出手段であるフロート１６と、フロート１６が検出する雨水等のレベルの情報に基づき雨水等を排出するように弁１３を制御する制御部１５とを有する。【選択図】図２
2008118762.tif 000002
【特許請求の範囲】
【請求項１】
ＯＦケーブルが内部に敷設されているケーブルピットと、
雨水と前記ＯＦケーブルから漏洩した漏油とを前記ケーブルピットとともに内部に貯留する集積枡と、
前記雨水を外部に排出する排出手段と、
前記集積枡に配設されて前記雨水のみが前記排出手段を介して外部に排出されるよう前記雨水のレベルを検出するレベル検出手段と、
前記レベル検出手段が検出する前記雨水のレベルの情報に基づき前記雨水を排出するように前記排出手段を制御する制御手段とを有することを特徴とするＯＦケーブルを用いた送電系統の構造。
【請求項２】
請求項１に記載するＯＦケーブルを用いた送電系統の構造において、
前記集積枡は前記ケーブルピットに隣接して配設するとともに、前記ケーブルピットの前記集積枡との境界をなす壁面に設けた連通部を介して前記集積枡と前記ケーブルピットとの内部同士を連通したことを特徴とするＯＦケーブルを用いた送電系統の構造。  
【請求項３】
請求項１又は請求項２に記載するＯＦケーブルを用いた送電系統の構造において、
前記レベル検出手段は比重が前記雨水よりも小さく前記漏油よりも大きいフロートを有するとともに、前記制御手段は前記フロートが所定のレベルに達したとき前記排出手段が雨水の排出を行なうように制御するものであることを特徴とするＯＦケーブルを用いた送電系統の構造。
【請求項４】
請求項１乃至請求項３の何れか一つに記載するＯＦケーブルを用いた送電系統の構造において、
前記制御手段は、前記雨水が所定の上限レベルに達したことを検出したとき前記排出手段が雨水を排出するように制御するとともに、前記雨水が所定の下限レベルに達したことを検出したとき前記排出手段が雨水の排出を中止するように制御することを特徴とするＯＦケーブルを用いた送電系統の構造。
【請求項５】
請求項１乃至請求項４の何れか一つに記載するＯＦケーブルを用いた送電系統の構造において、
前記排出手段は弁で形成したことを特徴とするＯＦケーブルを用いた送電系統の構造。
【請求項６】
請求項１乃至請求項４の何れか一つに記載するＯＦケーブルを用いた送電系統の構造において、
前記排出手段をポンプで形成するとともに、このポンプで排出する雨水を貯留して処理する貯留タンクをさらに有することを特徴とするＯＦケーブルを用いた送電系統の構造。
【発明の詳細な説明】
【技術分野】
【０００１】
本発明はＯＦケーブルを用いた送電系統の構造に関し、特に漏油対策を講じた送電系統の構造として有用なものである。
【背景技術】
【０００２】
地中送電系統に適用する電力ケーブルの一種としてＯＦケーブルが存在する。このＯＦケーブルは内部に通油路を設け、低粘度の絶縁油を常時大気圧以上で充填することで長期間に亘り優れた絶縁性能を維持し得るようにしたもので、高電圧・大容量の送電ケーブルとして汎用されている。
【０００３】
かかるＯＦケーブルを用いた送電系統においては、当該送電系統に隣接して防油提を設置し、さらにこれに隣接して集積枡を併設するとともにこの集積枡に漏油の最大油量を想定した吸着マットを配設して漏油事故に対する対策としていた。すなわち、漏油事故が発生した場合には、防油堤で漏油の環境への流出を防止するとともに、この漏油を集積枡に集めて吸着マットに吸着させることにより、漏油を雨水等の水分と分離して処理していた。
【０００４】
ところで、かかる従来技術においては、定期的な吸着マットの清掃等を伴うメンテナンスが面倒であるばかりでなく、防油堤及び吸着マットの面積に規定される集積枡の設置面積が大きくなるという欠点を有している。なお、油水分離を行なう公知技術を開示するものとして次の特許文献が存在する。
【０００５】
【特許文献１】特願２０００−１１５８５２号公報
【特許文献２】特願２００２−１６３７１０号公報
【発明の開示】
【発明が解決しようとする課題】
【０００６】
本発明は、上記従来技術に鑑み、漏油と雨水等とを分離して雨水等のみを排出するための小容量の集積枡を用意するだけでＯＦケーブルの漏油対策を講じることができるＯＦケーブルを用いた送電系統の構造を提供することを目的とする。
【課題を解決するための手段】
【０００７】
上記目的を達成する本発明の第１の態様は、
ＯＦケーブルが内部に敷設されているケーブルピットと、
雨水等と前記ＯＦケーブルから漏洩した漏油とを前記ケーブルピットとともに内部に貯留する集積枡と、
前記雨水等を外部に排出する排出手段と、
前記集積枡に配設されて前記雨水等のみが前記排出手段を介して外部に排出されるよう前記雨水等のレベルを検出するレベル検出手段と、
前記レベル検出手段が検出する前記雨水等のレベルの情報に基づき前記雨水等を排出するように前記排出手段を制御する制御手段とを有することを特徴とするＯＦケーブルを用いた送電系統の構造である。
【０００８】
本態様によれば、事故時の漏油は基本的にケーブルピットに、また補助的に集積枡に貯留することができる。このとき、漏油は雨水等と分離され、しかもより比重が小さいので、雨水等の上に浮き、ケーブルピット乃至集積枡の外部に排出されることはない。
【０００９】
一方、雨水等のレベルはレベル検出手段で常時検出しており、このレベルに応じて適宜排出しているので、この雨水等のみを選択的に適宜排出することができる。
【００１０】
本発明の第２の態様は、
第１の態様に記載するＯＦケーブルを用いた送電系統の構造において、
前記集積枡は前記ケーブルピットに隣接して配設するとともに、前記ケーブルピットの前記集積枡との境界をなす壁面に設けた連通部を介して前記集積枡と前記ケーブルピットとの内部同士を連通したことを特徴とするＯＦケーブルを用いた送電系統の構造である。  本態様によれば、既存のケーブルピットを利用して当該ＯＦケーブルを用いた送電系統の漏油対策を講じることができ、その場合の占有面積も最小なものとすることができる。
【００１１】
本発明の第３の態様は、
第１又は第２の態様に記載するＯＦケーブルを用いた送電系統の構造において、
前記レベル検出手段は比重が前記雨水等よりも小さく前記漏油よりも大きいフロートを有するとともに、前記制御手段は前記フロートが所定のレベルに達したとき前記排出手段が雨水等の排出を行なうように制御するものであることを特徴とするＯＦケーブルを用いた送電系統の構造である。
【００１２】
本態様によれば、漏油が発生し、雨水等の上に漏油が溜まった場合でも、フロートは漏油部分を沈降して雨水等の面上に浮遊するので、漏油の有無にかかわらず雨水等のレベルを正確に検出することができる。
【００１３】
本発明の第４の態様は、
第１乃至第３の何れか一つに記載するＯＦケーブルを用いた送電系統の構造において、
前記制御手段は、前記雨水等が所定の上限レベルに達したことを検出したとき前記排出手段が雨水等を排出するように制御するとともに、前記雨水等が所定の下限レベルに達したことを検出したとき前記排出手段が雨水等の排出を中止するように制御することを特徴とするＯＦケーブルを用いた送電系統の構造である。
【００１４】
本態様によれば雨水等のレベルに多少のチャタリングを生起してもこのチャタリングの影響を排除して雨水等の排出を所定通り、良好に行うことができる。
【００１５】
本発明の第５の態様は、
第１乃至第４の何れか一つに記載するＯＦケーブルを用いた送電系統の構造において、
前記排出手段は弁で形成したことを特徴とするＯＦケーブルを用いた送電系統の構造である。
【００１６】
本態様によれば、弁の開閉で雨水等を適宜排出することができる。
【００１７】
本発明の第６の態様は、
第１乃至第４の何れか一つに記載するＯＦケーブルを用いた送電系統の構造において、
前記排出手段をポンプで形成するとともに、このポンプで排出する雨水等を貯留して処理する貯留タンクをさらに有することを特徴とするＯＦケーブルを用いた送電系統の構造である。
【００１８】
本態様によれば、排出した雨水等をさらに処理する必要がある場合等にも柔軟に対処し得る。
【発明の効果】
【００１９】
上記構成の本発明によれば、事故時の漏油は基本的にケーブルピットに、また補助的に集積枡に貯留することができる。このとき、漏油は雨水等と分離され、しかも比重がより小さいので、雨水等の上に浮き、ケーブルピット乃至集積枡の外部に排出されることはない。
【００２０】
一方、雨水等のレベルはレベル検出手段で常時検出しており、このレベルに応じて適宜排出しているので、この雨水等のみを選択的に適宜排出することができる。
【００２１】
この結果、従来の吸着マットを用いる場合に較べ、当該ＯＦケーブルを用いた送電系統の漏油対策に要する設備の小型化乃至低廉化を図り得るばかりでなくメンテナンスも格段に容易になる。
【発明を実施するための最良の形態】
【００２２】
以下本発明の実施の形態を図面に基づき詳細に説明する。
【００２３】
図１は本発明の実施の形態に係るＯＦケーブルを用いた送電系統を概念的に示す説明図である。同図に示すように、ＯＦケーブル１は絶縁接続箱２、普通接続箱３、油止接続箱４等で途中を接続され、管路（図示せず）内に敷設されて三相の送電系統を構成している。そして、その終端は終端接続箱内で所定の終端処理をしてケーブルヘッド５を介して外部の機器（変圧器等）に接続されている。
【００２４】
ＯＦケーブル１内に所定の圧油を供給するための油圧系は重力油槽６及び圧力油槽７を有している。重力油槽６は位置エネルギを利用するとともに圧力油槽７は気体の圧力を利用してＯＦケーブル１に所定圧の絶縁油を供給している。ここで、絶縁油はそれぞれバルブパネル８，９を介してＯＦケーブル１に供給される。
【００２５】
ケーブルピット１０は、ＯＦケーブル１の立ち上がり部分、すなわちケーブルヘッド５の下方の部分でＯＦケーブル１を収納しており、集積枡１１はケーブルピット１０に隣接して設けてある。
【００２６】
これらケーブルピット１０と集積枡１１との部分を抽出・拡大して示す断面図である図２に基づきさらに詳細に説明すると、ケーブルピット１０にはＯＦケーブル１（図２には図示せず。）が敷設されている。集積枡１１は、常時流入する雨水等と事故時に流入する漏油とをケーブルピット１０とともに内部に貯留する。また、集積枡１１はケーブルピット１０に隣接して配設するとともに、ケーブルピット１０の集積枡１１との境界をなす壁面に設けた連通部１０ａを介してケーブルピット１０の内部に連通させてある。このように集積枡１１を隣接させることで、既存のケーブルピット１０を利用して容易に本形態に係るＯＦケーブルを用いた送電系統を構築することができる。
【００２７】
かくして、ケーブルピット１０及び集積枡１１内には、通常時には雨水等が貯留されるが、事故時に流出する漏油は雨水等と混合されることなくこの雨水等の上面に浮遊した状態で貯留される。
【００２８】
排水管１２は集積枡１１の底部近傍の側壁に設けてあり、途中に設けた排出手段である弁１３を開くことにより集積枡１１に貯留された雨水等を排水路１４に導入させて排出する。ここで弁１３の開閉は制御部１５が送出する制御信号で制御する。
【００２９】
レベル検出手段であるフロート１６は比重が雨水等よりも小さく、且つ漏油よりも大きくなるように構成してある。すなわち、漏油中は沈降してこの漏油を浮遊させている雨水等の上面に浮遊する。したがって、このフロート１６の位置で雨水等のレベルを選択的に知ることができる。本形態では雨水等に浮遊したフロート１６が予め設定した上限レベルＬ１に達したとき制御部１５が弁１３を開き、同様に予め設定した下限レベルＬ２に達したとき制御部１５が弁１３を閉じるように制御している。
【００３０】
このため、制御部１５は、フロート１６が上限レベルＬ１に達したとき投入されるスイッチ１５ａ、フロート１６が下限レベルＬ２に達したとき投入されるスイッチ１５ｂ及びこれら両スイッチ１５ａ，１５ｂをセット信号乃至リセット信号とするフリップフロップ回路１５ｃを有している。かくして、スイッチ１５ａの投入によりフリップフロップ回路１５ｃがセットされて弁１３を開くように制御する制御信号を送出するとともに、スイッチ１５ｂの投入によりフリップフロップ回路１５ｃがリセットされて弁１３を閉じるように制御する制御信号を送出する。
【００３１】
このようにフロート１６の上下２つの位置を検出してそれぞれスイッチ１５ａ，１５ｂを投入するとともにそれぞれの状態を保持することで、雨水等の面が変動しても安定した所定のレベル検出を行うことができる。すなわち、雨水等の面の若干の変動に伴うチャタリングの影響を除去し得る。
【００３２】
本形態において、下限レベルＬ２は排水管１２の開口部よりも若干上方に設けてあり、このことにより集積枡１１内には常時雨水が存在する状態としてある。この結果、雨水等に浮遊する漏油の最下位レベルが排水管１２の開口部よりも常に若干上方に在るようにすることができ、漏油を外部に排出することなく、雨水等のみを選択的に排水路１４に排出することができる。
【００３３】
本形態によれば、事故時の漏油は基本的にケーブルピット１０に、また補助的に集積枡１１に貯留することができる。このとき、漏油は雨水等と分離され、しかもより比重が小さいので、雨水等の上に浮き、ケーブルピット１０乃至集積枡１１の外部に排出されることはない。
【００３４】
一方、雨水等のレベルはフロート１６で常時検出しており、このレベルに応じて適宜排出しているので、この雨水等のみを選択的に適宜排出することができる。
【００３５】
図３はケーブルピットと集積枡との部分に関する他の例を抽出・拡大して示す断面図である。同図に示すように、本例ではケーブルピット２０に排水管２２が設けてある。このように排水管２２はケーブルピット２０に設けても良い。このとき集積枡２１との間は集積枡２１の底部に連通するようケーブルピット２０の側壁に設けた連通部２０ａで連通させてある。本例においてはケーブルピット２０の底面と集積枡２１の底面との段差を利用してケーブルピット２０には常に雨水等が存在するように構成してある。なお、他の構成は図２に示す例と同様であるので、同一部分には同一番号を付し、重複する説明は省略するが、本例でも図２に示す場合と同様の作用・効果を得る。
【００３６】
なお、上記例ではケーブルピット１０，２０と集積枡１１，２１とは分離されたものとして形成したものを示したが、これに限るものではない。上記例の場合は既設のケーブルピット１０，２０を利用して集積枡１１，２１を追加するだけで容易に所望の送電系統を構築できるが、ケーブルピットも含めて新設する場合にはケーブルピットと集積枡との間の仕切りがない、両者を一体化した構造のものとしても良い。
【００３７】
また、レベル検出手段をフロート式のものに限定する必要は勿論なく、電気的、光学的手段で漏油と雨水等の境界を区別して雨水等の表面のレベルを検出し得るものであれば特別な制限はない。さらに、制御部１５においてもフリップフロップ回路１５ｃに限定するものではなく、ポテンショメータ等で構成されるＭＰＵ制御でもよく、弁１３を開閉し得るものであれば特別な制限はない。
【００３８】
さらに、排出手段を弁１３に限定する必要もない。弁１３の代わりにポンプを用いることも勿論可能であり、この場合にはポンプで排出する雨水等を貯留タンクに貯留してさらに適切な処理をするように構成することもでき、厳しい排水基準等が設けられても有効に対処することができる。
【産業上の利用可能性】
【００３９】
本発明は電力設備、特にＯＦケーブルを用いた送電系統の保安に関する技術乃至これらに関連する機器の製造・販売に関連する産業分野で有効に利用し得る。
【図面の簡単な説明】
【００４０】
【図１】本発明の実施の形態に係るＯＦケーブルを用いた送電系統を概念的に示す説明図である。
【図２】図１のケーブルピットと集積枡との部分の一例を抽出・拡大して示す断面図である。
【図３】図１のケーブルピットと集積枡との部分の他の例を抽出・拡大して示す断面図である。
【符号の説明】
【００４１】
１            ＯＦケーブル
１０，２０      ケーブルピット
１０ａ，２０ａ  連通部
１１，２１      集積枡
１３            弁
１５            制御部
１６            フロート
【図１】
2008118762.tif 000003
【図２】
2008118762.tif 000004
【図３】
2008118762.tif 000005